(57)【要約】【課題】外部からの衝撃に対する強度を十分に高く維持したまま、さらなる薄型化及び軽量化を実現可能な表示装置を提供する。【解決手段】本発明による表示装置では、透明フィルムとバッファー層とが液晶パネルの画面を覆い、外部からのスクラッチや薬品による浸食から液晶パネルを保護する。【選択図】図１Ａ
2006330737.tif 000002
【特許請求の範囲】
【請求項１】
互いに対向している第１基板と第２基板とを含む表示パネル；
前記第２基板の外面に形成されて前記表示パネルを保護する透明フィルム；及び、
前記透明フィルムと前記第２基板との間に形成されているバッファー層；
を有する表示装置。
【請求項２】
前記バッファー層が前記第２基板の一部の上に形成されている、請求項１に記載の表示装置。
【請求項３】
前記透明フィルムが、光を遮断する領域を含む、請求項１に記載の表示装置。
【請求項４】
前記バッファー層が接着性を有する、請求項１に記載の表示装置。
【請求項５】
前記バッファー層の光透過率が低くとも60％である、請求項１に記載の表示装置。
【請求項６】
前記バッファー層がシリコーン系樹脂またはアクリル系樹脂を含む、請求項１に記載の表示装置。
【請求項７】
前記透明フィルムが、90％以上の光透過率を有する高分子フィルムである、請求項１に記載の表示装置。
【請求項８】
前記高分子フィルムが、ポリテレフタル酸エチレン、ポリカーボネート、またはポリメタアクリレートを含む、請求項７に記載の表示装置。
【請求項９】
前記透明フィルムが、前記高分子フィルムの上に形成されたハードコーティング層をさらに含む、請求項７に記載の表示装置。
【請求項１０】
前記ハードコーティング層が感光性樹脂を含む、請求項９に記載の表示装置。
【請求項１１】
前記バッファー層が、接着性を有する層と、緩衝機能を有する層とを含む、請求項１に記載の表示装置。
【請求項１２】
前記バッファー層が、前記透明フィルムに接着される第１接着層、前記第２基板に接着される第２接着層、及び、前記第１接着層と前記第２接着層との間に挟まれた緩衝層、を含む、請求項１１に記載の表示装置。
【請求項１３】
第１基板、第２基板、及び、前記第１基板と前記第２基板との間に挟まれた液晶層、をそれぞれ含む第１液晶パネルと第２液晶パネルとを有する液晶パネルモジュールであり、前記第１液晶パネルと前記第２液晶パネルとの間では前記第１基板が互いに対向している液晶パネルモジュール；
前記第２基板の外面に形成されている透明フィルム；並びに、
前記透明フィルムと前記第２基板との間に形成されているバッファー層；
を具備する表示装置。
【請求項１４】
第１基板、第２基板、及び、前記第１基板と前記第２基板との間に挟まれた液晶層、を含む液晶パネル；
前記第２基板の外面に形成されて前記液晶パネルを保護する透明フィルム；
前記液晶パネルを収納して支持するフレーム；並びに、
前記フレームを収めるケース；
を具備する携帯型電子機器。
【請求項１５】
前記透明フィルムと前記第２基板との間に形成されているバッファー層、を更に具備する、請求項１４に記載の携帯型電子機器。
【請求項１６】
前記ケースが前記透明フィルムの一部を覆っている、請求項１４に記載の携帯型電子機器。
【請求項１７】
第１基板、第２基板、及び、前記第１基板と前記第２基板との間に挟まれた液晶層、をそれぞれ含む第１液晶パネルと第２液晶パネルとを有する液晶パネルモジュールであり、前記第１液晶パネルと前記第２液晶パネルとの間では前記第１基板が互いに対向している液晶パネルモジュール；
前記第２基板の外面に形成されて前記第１液晶パネルまたは前記第２液晶パネルを保護する透明フィルム； 
前記液晶パネルモジュールを収納して支持するフレーム；並びに、
前記フレームを収めるケース；
を具備する携帯型電子機器。
【請求項１８】
前記透明フィルムと前記第２基板との間に形成されているバッファー層、を更に具備する、請求項１７に記載の携帯型電子機器。
【請求項１９】
前記ケースが前記透明フィルムの一部を覆っている、請求項１７に記載の携帯型電子機器。
【請求項２０】
表示パネル；
前記表示パネルの上に形成されている透明フィルム；及び、
前記透明フィルムと前記表示パネルとの間に形成され、接着性と、低くとも60％の光透過率とを持つバッファー層；
を有する表示装置。
【請求項２１】
表示パネル；
前記表示パネルの上に形成されている透明フィルム；及び、
前記透明フィルムと前記表示パネルとの間に形成され、接着性を持つ層と、緩衝機能を持つ層とを含むバッファー層；
を有する表示装置。
【発明の詳細な説明】
【技術分野】
【０００１】
本発明は表示装置に関し、特に携帯型電子機器に搭載される小型の表示装置に関する。
【背景技術】
【０００２】
近年、モニターまたはテレビなどの表示装置では、軽量化及び薄形化への要求の激化に伴い、陰極線管（ＣＲＴ）から平板表示装置（Flat  Panel  Display、ＦＰＤ）への代替が急速に進んでいる。代表的な平板表示装置には、液晶表示装置（Liquid  Crystal  Display、ＬＣＤ）と有機発光表示装置（Organic  Light  Emitting  Diode、ＯＬＥＤ）とがある。ＬＣＤは、薄膜トランジスタ（thin  film  transistor、ＴＦＴ）を含む第１基板、カラーフィルター層を含む第２基板、及び、第１基板と第２基板との間に挟まれている液晶層から構成されている。ＯＬＥＤはＴＦＴと有機発光素子とを含む。
【０００３】
平板表示装置は特に、携帯電話機、ノートパソコン、及びＰＤＡ等の携帯型電子機器に搭載される。その場合、平板表示装置を安定に固着できるフレーム構造、及び、そのフレーム構造を収めるケースが必要である。ケースにはさらに、平板表示装置に表示された映像を外部に見せるための開口部、及び、その開口部を通して外部から見える平板表示装置の部分を保護するための透明な保護窓が必要である。
【特許文献１】韓国特許出願公開第2001−077362号明細書
【発明の開示】
【発明が解決しようとする課題】
【０００４】
従来の保護窓はガラスまたはプラスチックで形成されているので、厚さと重量とをいずれもある程度大きく確保しなければ、外部からの衝撃に対して十分な強度が得られにくい。また、平板表示装置を外部の衝撃から保護するために、平板表示装置と保護窓との間に空気層を形成しなければならない。それらにより、従来の携帯型電子機器の全体をさらに薄型化することが困難である。
本発明の目的は、外部からの衝撃に対する強度を十分に高く維持したまま、さらなる薄型化及び軽量化を実現可能な表示装置、及びそのような表示装置を含む携帯型電子機器、の提供にある。
【課題を解決するための手段】
【０００５】
本発明の一つの観点による表示装置は、
互いに対向している第１基板と第２基板とを含む表示パネル、
第２基板の外面に形成されて表示パネルを保護する透明フィルム、及び、
透明フィルムと第２基板との間に形成されているバッファー層を有する。
【０００６】
本発明の他の観点による表示装置は、
第１基板、第２基板、及び、第１基板と第２基板との間に挟まれた液晶層、をそれぞれ含む第１液晶パネルと第２液晶パネルとを有する液晶パネルモジュール、
第１及び第２液晶パネルの各第２基板の外面に形成されている透明フィルム、並びに、
透明フィルムと第２基板との間に形成されているバッファー層を具備する。ここで、第１液晶パネルと第２液晶パネルとの間では第１基板が互いに対向している。
【０００７】
本発明の別の観点による表示装置は、
表示パネル、
その表示パネルの上に形成されている透明フィルム、及び、
透明フィルムと表示パネルとの間に形成され、接着性と、低くとも60％の光透過率とを持つバッファー層を含む。
【０００８】
本発明のさらに他の観点による表示装置は、
表示パネル、
その表示パネルの上に形成されている透明フィルム、及び、
透明フィルムと表示パネルとの間に形成され、接着性を持つ層と、緩衝機能を持つ層とを含むバッファー層を有する。
【０００９】
本発明の一つの観点による携帯型電子機器は、
第１基板、第２基板、及び、第１基板と第２基板との間に挟まれた液晶層を含む液晶パネル、
第２基板の外面に形成されて液晶パネルを保護する透明フィルム、
液晶パネルを収納して支持するフレーム、並びに、
そのフレームを収めるケースを具備する。この携帯型電子機器は好ましくは、透明フィルムと第２基板との間に形成されているバッファー層、を更に具備する。
【００１０】
本発明の別の観点による携帯型電子機器は、
第１基板、第２基板、及び、第１基板と第２基板との間に挟まれた液晶層、をそれぞれ含む第１液晶パネルと第２液晶パネルとを有する液晶パネルモジュール、
第２基板の外面に形成されて第１液晶パネルまたは第２液晶パネルを保護する透明フィルム、
その液晶パネルモジュールを収納して支持するフレーム、並びに、
そのフレームを収めるケースを具備する。ここで、第１液晶パネルと第２液晶パネルとの間では第１基板が互いに対向している。好ましくは、この携帯型電子機器が、透明フィルムと第２基板との間に形成されているバッファー層、を更に具備する。
【発明の効果】
【００１１】
本発明による表示装置では従来の表示装置とは異なり、透明フィルムとバッファー層（またはケース）とが表示パネルを覆い、表示パネルを外部からのスクラッチや薬品による浸食から保護する。透明フィルムは軽く、かつ外部からの衝撃に対して強い。バッファー層は、接着性と緩衝機能とを併せ持つので、薄くても十分に強い。従って、本発明による表示装置は従来の表示装置とは異なり、衝撃にさらに強く、耐薬品性にさらに優秀であり、かつ薄くて軽い。それ故、本発明による表示装置、及びそれを搭載する携帯型電子機器はさらなる軽量化及び薄形化がいずれも達成可能である。
【発明を実施するための最良の形態】
【００１２】
《実施形態１》
図１Ａ及び図１Ｂを参照しながら、本発明の実施形態１による液晶表示装置について説明する。この液晶表示装置は好ましくは携帯型電子機器に搭載される。その場合、この液晶表示装置は複数のフレーム（好ましくはモールドフレームまたは金属フレーム）により安定に支持される。さらに、液晶表示装置とフレームとがケースの中に収められる。
図１Ａ及び図１Ｂに示されている通り、本発明の実施形態１による液晶表示装置10は、透明フィルム110、バッファー層120、液晶パネル130、及びバックライトユニット140を含む。
【００１３】
透明フィルム110は液晶パネル130を保護するための層であり、特に外部からのスクラッチ及び薬品による浸食に対して強い。また、透明フィルム110は透明度が高く、好ましくはその光透過率が90％以上である。それにより、液晶パネル130に表示された画像が透明フィルム110を通して外部から十分に明確に見え、かつその視野角が十分に広い。透明フィルム110は上記の特性を持つ高分子フィルムであり、好ましくはポリテレフタル酸エチレン（Polyethylene Terephthalate；ＰＥＴ）、ポリカーボネート（Polycarbonate；ＰＣ）またはポリメチルメタアクリレート（Polymethyl  Methacrylate；ＰＭＭＡ）で形成される。この時、透明フィルム110の厚さが好ましくは0.2cm〜0.8cmである。
【００１４】
バッファー層120は透明フィルム110の下に形成されている（図１Ａ、１Ｂ参照）。バッファー層120は、外部からの衝撃を吸収して緩和すると共に、透明フィルム110を液晶パネル130の表面に固定する。バッファー層120の緩衝特性は好ましくは、温度による影響が小さい。さらに好ましくは、バッファー層120の硬度が低温で上昇する。また、バッファー層120は透明フィルム110と液晶パネル130との両方に対する接着性が高いので、透明フィルム110が液晶パネル130にしっかりと固定される。さらに、バッファー層120は透明度が高く、好ましくはその光透過率が低くとも60％であり、さらに好ましくはその光透過率が90％以上である。それにより、液晶パネル130に表示された画像がバッファー層120を通して外部から十分に明確に見え、かつその視野角が十分に広い。バッファー層120は上記のすべての特性を持つ材質、好ましくはシリコーン樹脂またはアクリル樹脂を含む。シリコーン樹脂としては好ましくは、株式会社ジェルテックのＯＰＴ001−60が用いられる。アクリル樹脂としては好ましくは、三菱樹脂株式会社のクリアフィット（登録商標）、または韓国３Ｍ社のＯＣＡ（Optical  Clear  Adhesive）が用いられる。この時、バッファー層120の厚さは好ましくは0.4cm〜0.5cmである。バッファー層120が接着性と緩衝機能とを併せ持つので、本発明の実施形態１による液晶表示装置10はさらなる薄形化が可能である。さらに好ましくは、図１Ｂに示されているように、バッファー層120が多層構造であり、透明フィルム110に接着される第１接着層122、液晶パネル130に接着される第２接着層123、及び、第１接着層122と第２接着層123との間に挟まれている緩衝層121を含む。
【００１５】
液晶パネル130はバッファー層120の下に位置し、第１基板131、液晶層132、第２基板133、第１偏光板134、及び第２偏光板135を含む（図１Ａ、１Ｂ参照）。第１基板131は好ましくはガラス基板であり、その上に薄膜トランジスタアレイ及び画素電極が配列されている。薄膜トランジスタアレイは、画素電極に対して電圧を印加するためのスイッチング素子として利用される。第２基板133は好ましくはガラス基板であり、その上に、赤、緑、青のカラーフィルター層が形成されている。第２基板133の全面にはさらに、共通電極が形成されている。画素電極と共通電極との間の電圧が液晶層132に対して印加されるとき、液晶層132には電界が形成されるので、液晶分子の配向方向が変化する。それにより、液晶層132では透過光の偏光方向が回転する。第１偏光板134は第１基板131の外面に接着されている。第２偏光板135は第２基板133の外面に接着されている。二つの偏光板134、135間では透過軸が所定の角度（好ましくは90°）を成す。その角度と、液晶層132を透過する偏光の回転角との間の差に応じて液晶パネル130の光透過率が変化する。
【００１６】
バックライトユニット140は液晶パネル130の下に位置し、液晶パネル130に光を提供する。バックライトユニット140は好ましくは、光学シート141、導光板142、光源143、及び反射シート144を含む（図１Ａ、１Ｂ参照）。光学シート141は液晶パネル130の下に形成され、拡散シートとプリズムシートとを含む。拡散シートは導光板142の上に位置し、導光板142から入射する光を拡散させる。それにより、バックライトユニット140の輝度を増大させ、かつ全面で均一化させる。プリズムシートの表面には溝が形成されているので、拡散シートから出射される光の方向がバックライトユニット140の正面方向に揃う。こうして、プリズムシートはバックライトユニット140から出射される光の指向性を向上させることで、バックライトユニット140の正面方向の輝度を増大させる。好ましくは、光学シート141が、垂直タイプと水平タイプとの二種類のプリズムシートを含む。
【００１７】
導光板142は、線状の光源143から出射される光をバックライトユニット140の全体に拡散させる。それにより、線状の光源143が面光源に変換される。導光板142は好ましくはアクリル樹脂から成り、さらに好ましくはＰＭＭＡから成る。光源143は線状であり、好ましくは蛍光ランプである。その他に、電球、ＬＥＤ、ＥＬ素子、またはメタルハライドランプが光源143として使われても良い。光源143は好ましくは図１Ａ、１Ｂに示されているようなエッジ型である。その他に、直下型であっても良い。
【００１８】
反射シート144は導光板142の下に位置し、光源143から入射した光を導光板142に向けて反射する。それにより、バックライトユニット140の光利用効率が向上する。反射シート144はまた、全体の反射量を調節することで、バックライトユニット140の輝度分布を全体で均一化させる。
【００１９】
上記の通り、本発明の実施形態１による液晶表示装置は従来の表示装置とは異なり、透明フィルムとバッファー層との組み合わせにより液晶パネルを外部からのスクラッチや衝撃から保護する。透明フィルムは軽く、かつ外部からの衝撃に対して強い。バッファー層は上記の通り、接着性と緩衝機能とを併せ持つので、薄くても十分に強い。従って、本発明の実施形態１による液晶表示装置は従来の表示装置とは異なり、さらなる軽量化及び薄形化がいずれも達成可能である。
【００２０】
《実施形態２》
図２を参照しながら、本発明の実施形態２による液晶表示装置について説明する。この液晶表示装置10は、透明フィルム110がハードコーティング層112をさらに含む点を除き、本発明の実施形態１による液晶表示装置（図１Ａ、１Ｂ参照）と同様な構造である。図２では、図１Ａ、１Ｂに示されている構成要素と同様な構成要素に対し、図１Ａ、１Ｂに示されている符号と同じ符号を付す。さらに、それら同様な構成要素の詳細は実施形態１についての説明を援用する。
【００２１】
図２に示されているように、本発明の実施形態２による透明フィルム110では、実施形態１による高分子フィルムと同様な高分子フィルム111を、ハードコーティング層112が覆っている。ハードコーティング層112は好ましくは感光性樹脂を含み、さらに好ましくは紫外線で感光する樹脂を含む。ハードコーティング層112の鉛筆硬度は好ましくは、3H〜4H程度である。透明フィルム110が高分子フィルム111に加えてハードコーティング層112を含むので、高分子フィルム111だけで構成された場合よりさらに耐スクラッチ性及び耐薬品性が優れている。従って、透明フィルム110が外部からのスクラッチ及び化学薬品による浸食から液晶パネル130をさらに効果的に保護できる。
【００２２】
《実施形態３》
図３及び図４を参照しながら、本発明の実施形態３による液晶表示装置について説明する。この液晶表示装置10は、透明フィルム110が透過部111、または透過部111と遮断部112との組み合わせで形成されている点を除き、本発明の実施形態１による液晶表示装置（図１Ａ、１Ｂ参照）と同様な構造である。それら同様な構成要素の詳細は実施形態１についての説明を援用する。
【００２３】
透明フィルム110は、好ましくは図３に示されているように全面が透過部111で形成され、光を透過させる。その他に、図４に示されているように、光を透過させる透過部111と、光を遮断する遮断部112との組み合わせで形成されていても良い。ここで、透明フィルム110が弾性材質で形成されていても良い。その場合、バッファー層120（図１Ａ、１Ｂ参照）が省略可能である。好ましくは、透明フィルム110が液晶パネル130と直に接触する。さらに好ましくは、透明フィルム110と液晶パネル130との間から空気が排除されている。そのとき、透明フィルム110と液晶パネル130との各接触面が静電気によって反対の極性に帯電する。従って、透明フィルム110と液晶パネル130とが互いに、静電引力によって接着される。
【００２４】
《実施形態４》
図５を参照しながら、本発明の実施形態４による液晶表示装置について説明する。この液晶表示装置10は、透明フィルム110の一部の下側にだけバッファー層120が形成されている点を除き、本発明の実施形態１による液晶表示装置（図１Ａ、１Ｂ参照）と同様な構成である。それら同様な構成要素の詳細は実施形態１についての説明を援用する。
【００２５】
図５に示されている通り、バッファー層120は透明フィルム110の一部、好ましくは周辺領域にだけ形成されている。尚、図３に示されているように、透明フィルム110の全体が透過部111で形成されているときは、バッファー層120は透過部111の一部の下に形成されている。また、図４に示されているように、透明フィルム110が透過部111と遮断部112との組み合わせで形成されているときは、バッファー層120は透明フィルム110の透過部111の一部若しくは遮断部112の一部、またはそれらの両方の下にだけ形成されていても良い。透明フィルム110と液晶パネル130（第２基板133または第２偏光板135）との隙間のうち、バッファー層120が形成されていない領域には、好ましくは空気層が形成されている。尚、その領域には他の物質が介在しても良い。その他に、バッファー層120が省略され、透明フィルム110が液晶パネル130（第２基板133または第２偏光板135）へ直に接着されても良い。その場合、透明フィルム110が好ましくは弾性材質で形成され、バッファー層120と同様な緩衝作用を発揮する。
【００２６】
《実施形態５》
図６を参照しながら、本発明の実施形態５による液晶表示装置について説明する。この液晶表示装置20は液晶パネルモジュール250を含む。液晶パネルモジュール250は、第１液晶パネル230と第１バックライトユニット240との組み合わせ、及び第２液晶パネル230'と第２バックライトユニット240'との組み合わせを含む。
【００２７】
第１液晶パネル230は、薄膜トランジスタアレイを具備する第１基板231、カラーフィルター層を具備する第２基板233、及び、第１基板231と第２基板233との間に挟まれた液晶層232を含む（図６参照）。第１液晶パネル230はさらに、第１基板231の外面に第１偏光板234を含み、第２基板233の外面に第２偏光板235を含む。第１バックライトユニット240は第１基板231の外側に位置している。第１バックライトユニット240は、光学シート241、導光板242、ランプ243、及び反射板244を含む。第２液晶パネル230'は、薄膜トランジスタアレイを具備する第１基板231'、カラーフィルター層を具備する第２基板233'、及び、第１基板231'と第２基板233'との間に挟まれた液晶層232'を含む。第２液晶パネル230'はさらに、第１基板231'の外面に第１偏光板234'を含み、第２基板233'の外面に第２偏光板235'を含む。第２バックライトユニット240'は第１基板231'の外側に位置している。第２バックライトユニット240'は、光学シート241'、導光板242'、ランプ243'、及び反射板244'を含む。第１液晶パネル230と第２液晶パネル230'との各構成要素は、実施形態１による液晶パネル130の構成要素（図１Ａ、１Ｂ参照）と同様である。従って、各構成要素の詳細は実施形態１での説明を援用する。
【００２８】
液晶パネルモジュール250では特に、第１液晶パネル230と第２液晶パネル230'とが各第１基板231、231'を互いに対向させた状態で固定されている（図６参照）。それにより、液晶パネルモジュール250の両面に画像が表示される。
【００２９】
第１液晶パネル230の第２基板233の外面には透明フィルム210が形成され、第１液晶パネル230を保護している。透明フィルム210の内側にはバッファー層220が形成され、第１液晶パネル230の第２基板233と透明フィルム210との間を安定に接着し、かつ外部からの衝撃を緩和する。第２液晶パネル230'の第２基板233'の外面には透明フィルム210'が形成され、第２液晶パネル230'を保護している。透明フィルム210'の内側にはバッファー層220'が形成され、第２液晶パネル230'の第２基板233'と透明フィルム210'との間を安定に接着し、かつ外部からの衝撃を緩和する。
【００３０】
《実施形態６》
図７を参照しながら、本発明の実施形態６による液晶表示装置について説明する。この液晶表示装置20は、各透明フィルム210、210'がハードコーティング層212、212'をさらに含む点を除き、図６に示されている本発明の実施形態５による液晶表示装置20と同様な構造である。図７では、図６に示されている構成要素と同様な構成要素に対し、図６に示されている符号と同じ符号を付す。さらに、それら同様な構成要素の詳細は実施形態５についての説明を援用する。
【００３１】
図７に示されているように、本発明の実施形態６による液晶表示装置20に含まれる各透明フィルム210、210'では、実施形態１による高分子フィルムと同様な高分子フィルム211、211'を、実施形態１によるハードコーティング層と同様なハードコーティング層212、212'がそれぞれ覆っている。従って、各透明フィルム210、210'が外部からのスクラッチまたは化学薬品による浸食から第１及び第２液晶パネル230、230'をそれぞれ、さらに効果的に保護できる。
【００３２】
《実施形態７》
図３、図４、及び図６を参照しながら、本発明の実施形態７による液晶表示装置について説明する。この液晶表示装置20は、各透明フィルム210、210'が透過部111、または透過部111と遮断部112との組み合わせで形成されている点を除き、図６に示されている本発明の実施形態６による液晶表示装置20と同様な構成である。それら同様な構成要素の詳細は実施形態６についての説明を援用する。
【００３３】
各透明フィルム210、210'は、好ましくは図３に示されているように全面が透過部111で形成され、光を透過させる。その他に、図４に示されているように、光を透過させる透過部111と、光を遮断する遮断部112との組み合わせで形成されていても良い。ここで、各透明フィルム210、210'が弾性材質で形成されていても良い。その場合、各バッファー層220、220'が省略可能である。好ましくは、一方の透明フィルム210が第１液晶パネル230と直に接触し、他方の透明フィルム210'が第２液晶パネル230'と直に接触する。さらに好ましくは、各透明フィルム210、210'と各液晶パネル230、230'との間から空気が排除されている。そのとき、各透明フィルム210、210'と各液晶パネル230、230'との各接触面が静電気によって反対の極性に帯電する。従って、各透明フィルム220、220'と各液晶パネル230、230'とが互いに、静電引力によって接着される。
【００３４】
《実施形態８》
図８を参照しながら、本発明の実施形態８による液晶表示装置について説明する。この液晶表示装置20は、各透明フィルム210、210'の一部の外側にだけ各バッファー層220、220'が形成されている点を除き、図６に示されているような本発明の実施形態６による液晶表示装置20と同様な構成である。それら同様な構成要素の詳細は実施形態６についての説明を援用する。
【００３５】
図８に示されている通り、各バッファー層220、220'は各透明フィルム210、210'の一部、好ましくは周辺領域にだけ形成されている。尚、図３に示されているように、各透明フィルム210、210'の全体が透過部111で形成されているときは、各バッファー層220、220'が透過部111の一部の外側に形成される。また、図４に示されているように、各透明フィルム210、210'が透過部111と遮断部112との組み合わせで形成されているときは、各バッファー層220、220'が各透明フィルム110の透過部111の一部若しくは遮断部112の一部、またはそれらの両方の外側にだけ形成されていても良い。一方の透明フィルム210と第１液晶パネル230の第２基板233との隙間、及び他方の透明フィルム210'と第２液晶パネル230'の第２基板233'との隙間のうち、各バッファー層220、220'が形成されていない領域には、好ましくは空気層が形成されている。尚、各領域には他の物質が介在しても良い。その他に、各バッファー層220、220'が省略され、各透明フィルム210、210'が各液晶パネル230、230'と直に接着されても良い。その場合、各透明フィルム210、210'が好ましくは弾性材質で形成され、各バッファー層220、220'と同様な緩衝作用を発揮する。
【００３６】
《実施形態９》
図９及び図１０を参照しながら、本発明の実施形態９による携帯型電子機器について説明する。図９に示されているように、この携帯型電子機器は好ましくはフォルダー型携帯電話機100である。特に表示装置として上記の実施形態１〜４のいずれかによる液晶表示装置10を含む（図１０参照）。図９の左側にはフォルダーを閉じた状態が示され、右側にはフォルダーを開いた状態が示されている。フォルダーを開いているとき、液晶表示装置10の画面が透明フィルム110を通して外から見える。図１０に示されているように、液晶表示装置10は好ましくは、透明フィルム110、バッファー層120、液晶パネル130、及びバックライトユニット140を含む。尚、それらの詳細は上記の実施形態１〜４についての説明を援用する。携帯型電子機器100はさらに、第１フレーム102、第２フレーム117、第３フレーム116、第１保護ケース122a、第２保護ケース122b、及び第３保護ケース119を含む。
【００３７】
第１フレーム102は内部に、液晶表示装置10、第２フレーム117、及び第３フレーム116を収納する（図１０参照）。具体的には、第１フレーム102の内面にまず、バックライトユニット140（光学シート141、導光板142、光源143、及び反射シート144）が収納される。次に、第２フレーム117がバックライトユニット140を固定する。ここで、第２フレーム117の中央部には開口部が形成されている。その開口部の内側に光学シート141が配置される。第２フレーム117の上には液晶パネル130が設置され、第２フレーム117の開口部を覆っている。それにより、光源143から出射される光が第２フレーム117の開口部の内側を通過して液晶パネル130に入射する。第３フレーム116は、液晶パネル130、第２フレーム117、及びバックライトユニット140の組み合わせを周囲から固定する。
【００３８】
液晶表示装置10、第１フレーム102、第２フレーム117、及び第３フレーム116は上記のように一体化され、第１保護ケース122aと第２保護ケース122bとの間に挟まれている（図１０参照）。第１保護ケース122aの中央部には開口部が形成され、その開口部を通して液晶パネル130の画面（すなわち、透明フィルム110の全面）が露出する。第１保護ケース122aの開口部からは第１フレーム102や第３フレーム116も露出する。それらの露出部分は、従来の液晶表示装置での保護ガラスに代え、第３保護ケース119により覆われて保護される。尚、第３保護ケース119が第１保護ケース122aと一体的に形成されても良い。さらに、図１１に示されているように、第３保護ケース119が、第１フレーム102や第３フレーム116の露出部分に加え、透明フィルム110の一部をも覆っていても良い。
【００３９】
《実施形態１０》
図１２及び図１３を参照しながら、本発明の実施形態１０による携帯型電子機器について説明する。図１２に示されているように、この携帯型電子機器は好ましくはフォルダー型携帯電話機200である。特に表示装置として上記の実施形態５〜８のいずれかによる液晶表示装置20を含む（図１３参照）。図１２の左側にはフォルダーを閉じた状態が示され、右側にはフォルダーを開いた状態が示されている。フォルダーを閉じているときは液晶表示装置20の第２液晶パネル230'の画面が透明フィルム210'を通して外から見える。一方、フォルダーを開いているときは液晶表示装置20の第１液晶パネル230の画面が透明フィルム210を通して外から見える。図１３に示されているように、液晶表示装置20は好ましくは、第１液晶パネル230及び第２液晶パネル230'を含む。特に、各透明フィルム210、210'が各第２偏光板235、235'の上に接着されている。尚、液晶表示装置20に含まれている構成要素の詳細は上記の実施形態５〜８についての説明を援用する。
【００４０】
携帯型電子機器200はさらに、第１フレーム202、二つの第２フレーム217、217'、二つの第３フレーム216、216'、第１保護ケース222a、第２保護ケース222b、及び二つの第３保護ケース219、219'を含む（図１３参照）。実施形態９による携帯型電子機器内で第２フレーム117と第３フレーム116とが液晶パネル130とバックライトユニット140とを固定している構造（図１０参照）と同様な構造により、一組の第２フレーム217と第３フレーム216とが第１液晶パネル230と第１バックライトユニット240とを固定し、もう一組の第２フレーム217'と第３フレーム216'とが第２液晶パネル230'と第２バックライトユニット240'とを固定している。第１フレーム202は内部に、一組の第２フレーム217と第３フレーム216とで一体化された第１液晶パネル230及び第１バックライトユニット240、並びに、もう一組の第２フレーム217'と第３フレーム216'とで一体化された第２パネル230'及び第２バックライトユニット240'を共に固定する。こうして、液晶パネルモジュール250が一体化され、第１保護ケース222aと第２保護ケース222bとの間に挟まれている。第１保護ケース222aの中央部には開口部が形成され、その開口部を通して第１液晶パネル230の画面（すなわち、一方の透明フィルム210の全面）が露出する。第２保護ケース222bの中央部には開口部が形成され、その開口部を通して第２液晶パネル230'の画面（すなわち、他方の透明フィルム210'の全面）が露出する。それぞれの開口部では第３保護ケース219、219'がそれぞれ、フレーム202、217、202'、217'の露出部分を覆って保護している。尚、一方の第３保護ケース219が第１保護ケース222aと一体的に形成され、他方の第３保護ケース219'が第２保護ケース222bと一体的に形成されても良い。さらに、図１４に示されているように、一方の第３保護ケース219が、第１フレーム202や第３フレーム216の露出部分に加え、透明フィルム210の一部をも覆い、他方の第３保護ケース219'が、第１フレーム202や第３フレーム216'の露出部分に加え、透明フィルム210'の一部をも覆っても良い。
【００４１】
以上、本発明の実施形態を説明した。しかし、本発明の実施形態は上記の実施形態には限られない。実際、当業者であれば、本発明の技術的思想を変更することなく、本発明を他の多様な形態で実施可能であろう。特に、上記の実施形態で利用されている液晶パネルを他の表示パネル（例えば有機発光表示パネル）に変更することは、当業者には容易であろう。従って、それらの多様な他の実施形態も当然に本発明の技術的範囲に属するものとして解されるべきである。
【産業上の利用可能性】
【００４２】
本発明は表示装置に関し、特に携帯型電子機器に搭載可能である。このように、本発明は明らかに産業上利用可能な発明である。
【図面の簡単な説明】
【００４３】
【図１Ａ】本発明の実施形態１による液晶表示装置の断面図
【図１Ｂ】透明フィルムとバッファー層との拡大断面図を含む、本発明の実施形態１による液晶表示装置の断面図
【図２】本発明の実施形態２による液晶表示装置の断面図
【図３】本発明の実施形態３による液晶表示装置の透明フィルムの一例を示す斜視図
【図４】本発明の実施形態３による液晶表示装置の透明フィルムの別例を示す斜視図
【図５】本発明の実施形態４による液晶表示装置の断面図
【図６】本発明の実施形態５による液晶表示装置の断面図
【図７】本発明の実施形態６による液晶表示装置の断面図
【図８】本発明の実施形態８による液晶表示装置の断面図
【図９】本発明の実施形態９による携帯型電子機器の斜視図
【図１０】図９に破線で示されている領域Aの内部構造の一例を示す断面図
【図１１】図９に破線で示されている領域Aの内部構造の別例を示す断面図
【図１２】本発明の実施形態１０による携帯型電子機器の斜視図
【図１３】図１２に破線で示されている領域Bの内部構造の一例を示す断面図
【図１４】図１２に破線で示されている領域Bの内部構造の別例を示す断面図
【符号の説明】
【００４４】
10：液晶表示装置
100：携帯型電子機器
110：透明フィルム
111：透過部
112：遮断部
120：バッファー層
130：液晶パネル
131：第１基板
132：液晶層
133：第２基板
134：第１偏光板
135：第２偏光板
140：バックライトユニット
141：光学シート
142：導光板
143：光源
144：反射シート
【図１Ａ】
2006330737.tif 000003
【図１Ｂ】
2006330737.tif 000004
【図２】
2006330737.tif 000005
【図３】
2006330737.tif 000006
【図４】
2006330737.tif 000007
【図５】
2006330737.tif 000008
【図６】
2006330737.tif 000009
【図７】
2006330737.tif 000010
【図８】
2006330737.tif 000011
【図９】
2006330737.tif 000012
【図１０】
2006330737.tif 000013
【図１１】
2006330737.tif 000014
【図１２】
2006330737.tif 000015
【図１３】
2006330737.tif 000016
【図１４】
2006330737.tif 000017